(57)【要約】【課題】  ピッキングやカム送り開錠などを抑止する機能を持った扉を提供する。【解決手段】  住居の出入口に設けられる錠付き扉１である。扉１には錠４を開けようとしている人の少なくとも上半身の一部が映るようにその正面に鏡５が設けられている。錠４を開けようとする際、その人の姿が扉１の鏡５に必ず映るので、ピッキングなどを実行中の犯人や実行しようとして扉１の前に来た人に鏡５に映った自分の姿を見せて、そのような悪い行いの実行を中断させたり思い止まらせたりすることができる可能性がある。ピッキングなどを行っている最中の犯人の正面側の姿が扉１の鏡５に映るため、扉１の面している道路や廊下を通行する人によって犯人の顔や特徴が目撃され易くなる。また住人が扉１の錠４を開ける際あるいは扉１を開ける際、鏡５を見ることにより自分の背後の状況を知ることができるので、自分の背後に不審者等がいない安全な状況であることを確かめてから、開錠あるいは開扉することができる。【選択図】図１
2005325678.tif 000002
【特許請求の範囲】
【請求項１】
住居の出入口に設けられる錠付き扉であって、
前記錠を開けようとしている人の少なくとも上半身の一部が映るようにその正面に鏡が設けられていることを特徴とする扉。
【発明の詳細な説明】
【技術分野】
【０００１】
本発明は、ピッキングやカム送り開錠といった犯罪行為を抑止するための技術に関する。
【背景技術】
【０００２】
エレベータの乗かご内に潜伏している不審者を乗り場側から視認できるようにするために、乗かごの奥側の内壁面に鏡を設けた防犯技術が知られている。この技術によれば、操作盤付近など、乗り場側から見たときに陰になる位置に隠れている痴漢などを乗かごに入る前に容易に見つけることができるので、痴漢などによる被害を未然に防止できる。（特許文献１参照）
しかし、この技術は、玄関などの扉の錠を特殊な工具を使って開錠するピッキングやカム送り開錠といった、住居への侵入を目的とする行為を抑止する技術には転用できない。この技術は、既に侵入して潜んでいる不審者による被害を未然に防止するための技術であり、侵入行為自体を防止するためのものではないからである。
【０００３】
【特許文献１】実開昭６１−２０３６７２号公報
【発明の開示】
【発明が解決しようとする課題】
【０００４】
本発明が解決しようとする課題は、ピッキングやカム送り開錠など、住居への侵入を目的とする行為を抑止する機能を持った扉を提供することにある。
【課題を解決するための手段】
【０００５】
上記課題を解決するために、本発明の扉は、住居の出入口に設けられる錠付き扉であって、前記錠を開けようとしている人の少なくとも上半身の一部が映るようにその正面に鏡が設けられていることを特徴とする。
【０００６】
前記鏡の少なくとも一部はマジックミラーになっていることが望ましい。前記鏡のマジックミラーの部分の背後には撮像装置が設けられていることが望ましい。
【０００７】
マジックミラーとは、外側からは内側が見えないが内側からは外側を見ることができる鏡を意味する。半透鏡、ハーフミラー、などとも呼ばれる。
【発明の効果】
【０００８】
本発明の扉は、錠を開けようとしている人の少なくとも上半身の一部が映るように扉正面に鏡が設けられているので、以下の効果を奏する。
【０００９】
（１）ピッキングやカム送り開錠といった、住居への侵入を目的とする行為を実行中の犯人や実行しようとして扉の前に来た人に鏡に映った自分の姿を見せて、そのような悪い行いの実行を中断させたり思い止まらせたりすることができる可能性がある。
【００１０】
（２）ピッキングやカム送り開錠といった、住居への侵入を目的とする行為を実行中の犯人の正面側の姿が鏡に映るため、扉の面している道路や廊下を通行する人によって犯人の顔や特徴が目撃され易くなる。したがって、犯行後における犯人の特定や早期通報による現行犯逮捕がし易くなるとともに、犯行の抑止にも繋がる。
【００１１】
（３）住人が扉の錠を開ける際あるいは扉を開ける際、鏡を見ることにより自分の背後の状況を知ることができるので、自分の背後に不審者等がいない安全な状況であることを確かめてから、開錠あるいは開扉することができる。
【発明を実施するための最良の形態】
【００１２】
以下、本発明を実施するための最良の形態について説明する。
【００１３】
図１は本発明にかかる扉の形態例を示す正面図である。この扉１は、左開き扉であり、正面から見て右側の端部がヒンジ部材２によって住居の出入口を成す玄関枠２０に水平回動可能に連結されるとともに、正面から見て左側の端部近傍中央部にノブ３と錠４とが設けられている。そして、扉１の正面には、その左半分を覆う大きな鏡５が取り付けられている。
【００１４】
この扉１によれば、錠４を開けようとする際、その人の姿が扉１の鏡５に必ず映る。したがって、ピッキングやカム送り開錠といった、住居への侵入を目的とする行為を実行中の犯人や実行しようとして扉１の前に来た人に鏡５に映った自分の姿を見せて、そのような悪い行いの実行を中断させたり思い止まらせたりすることができる可能性がある。
【００１５】
また、ピッキングやカム送り開錠を行っている最中の犯人の正面側の姿が扉１の鏡５に映るため、扉１の面している道路や廊下を通行する人によって犯人の顔や特徴が目撃され易くなる。したがって、犯行後における犯人の特定や早期通報による現行犯逮捕がし易くなるとともに、犯行の抑止にも繋がる。
【００１６】
また、住人が扉１の錠４を開ける際あるいは扉１を開ける際、鏡５を見ることにより自分の背後の状況を知ることができるので、自分の背後に不審者等がいない安全な状況であることを確かめてから、開錠あるいは開扉することができる。これにより、押し込み強盗やストーカーによる被害を防止できる効果が期待できる。
【００１７】
図２〜図４は本発明にかかる扉の別の形態例を示す正面図である。図２に示す扉１の正面には、その上側半分を覆う大きな鏡５が取り付けられている。図３に示す扉１の正面には、その上下方向中間部分を覆う大きな鏡５が取り付けられている。図４に示す扉１の正面には、ノブ３および錠４の周囲を覆う半円形の鏡５が取り付けられている。
【００１８】
図５に本発明にかかる扉の別の形態例を示す。図５（ａ）は正面図である。図５（ｂ）は部分断面図である。図５（ｃ）は扉内部に設けられている撮像装置の構成を概念的に示すブロック図である。
図５に示す扉１の鏡５の一部はマジックミラー（半透鏡）６になっている。マジックミラー６は、扉１の前方からの入射光の大半（６０〜７０％）を反射し残り（３０〜４０％）を透過する。扉１の正面板７の鏡５によって覆われている領域には、直径が５〜１５ｍｍの円形の貫通孔（透孔）８が複数箇所に分散させて形成されている。マジックミラー６は、何れか１つの貫通孔８の位置に合わせて形成されており、マジックミラー６の背後には撮像装置１０が設けられている。撮像装置１０は、扉１の内部すなわち、正面板７と背面板９との間に設けられており、外見からは扉１のどこに撮像装置１０が設けられているか判別できないようになっている。撮像装置１０は、マジックミラー６を通して扉１の前に存在する人や物を撮像する。
【００１９】
マジックミラー６および撮像装置１０の設置位置および設置数は任意である。扉１の製造発注時や購入時に、建築主や購入者が指示または選択できるようになっている。
【００２０】
撮像装置１０はＣＣＤ（Charge Coupled Device）やＣ-ＭＯＳ（Complementary Metal Oxide Semiconductor）イメージセンサ等の固体撮像素子１０ａと、固体撮像素子１０ａの受光面に被写体像を結像させる光学系１０ｂと、撮像動作を制御する制御系１０ｃと、メモリ（不揮発性メモリを含む）１０ｄと、外部インタフェース（Ｉ／Ｆ）１０ｅとを有している。
【００２１】
制御系１０ｃは、図示しない人検知手段からの人検知信号をトリガにして、固体撮像素子１０ａおよび光学系１０ｂを作動させて撮像を実行し、撮像により得られた画動データをメモリ１０ｄに記録する。人検知手段の例として、人体から放射される赤外線を検知する赤外センサ、ノブ３、錠４、扉１本体などへの人の接触を検知する接触センサ（静電センサ、感圧センサ、振動センサ、など）、などを挙げることができる。
【００２２】
外部Ｉ／Ｆ１０ｅには、必要に応じて、図示しない通信回線（有線または無線）を介してモニタ装置等の外部装置１１が接続される。制御系１０ｃは、外部装置１１と通信し、メモリ１０ｄに記録された画動データを定期的に又は撮像が実行される度毎に外部装置１１に送信する。また、制御系１０ｃは、外部装置１１からの指示に応じて撮像モードを変更する。つまり、撮像モードは外部装置１１上でユーザが自由に設定できるようになっている。撮像モードの種類には、連写モードや動画モードが含まれる。
【００２３】
図５の扉１は、図１の構成に加えて、鏡５の一部をマジックミラー６とし、その背後に撮像装置１０を設けたことにより、扉１の前に来た人を密かに撮像して、その画像データを記録することができる。扉１の前に来た人がピッキングやカム送り開錠の犯人であった場合、その犯人の顔など正面の特徴を撮像し画像データとして記録することができる。得られた画像データは、犯人逮捕のための手がかりや犯行の重要な証拠となり得る。
【００２４】
また、外部装置１１を使用してリアルタイムで画像をモニタできるようにしておけば、犯行が発生した時にそれを即座に発見して警察などに通報することができる。通報とともに犯人の画像を警察などに送信できるシステムを構築すれば、極めて迅速な犯人逮捕が可能となる。
【００２５】
また、この扉１は、マジックミラー６および撮像装置１０の設置位置および設置数を扉１ごとに異ならせることができる構造になっているので、極めて高い犯行抑止効果を発揮する。
【００２６】
なお、以上の形態例では、本発明を左開き扉に適用した場合について説明したが、右開き扉にも適用できることはいうまでもない。また、本発明は引き戸タイプの扉にも適用可能である。
【００２７】
また、マジックミラー６の背後にＬＤＥ等の発光素子を配置し、扉１の前に人が来たら、それを人検知手段で検知して発光素子を発光させるように構成してもよい。このように構成すれば、扉１の前に来た犯人に、自分の存在が察知されたことを知らせて、犯行を思い止まらせることができる可能性がある。
【００２８】
最後に、手続補正や分割出願等によって将来クレーム化する可能性のある事項について記載しておく。
［課題］  本発明の別の課題は、扉の前に来た人に付随する情報（その人が所持または身に着けていた物を特定し得る情報）を自動的に収集できる扉接近者付随情報自動収集システムを提供することにある。
［解決手段］  この課題を解決するために、本発明にかかる扉は、無線ＩＤタグの情報を読み取るタグリーダ機能と、読み取った情報を蓄積するタグ情報蓄積機能または読み取った情報を所定の送信先に送信するタグ情報送信機能とを備える。
［作用］  上記のように構成された本発明の扉は、扉の前に人が来たら、その人が所持している物またはその人が身に着けている物に装着または内蔵されている無線ＩＤタグの情報（当該物のＩＤ（固有情報））をタグリーダ機能により読み取る。そして、読み取った情報をタグ情報蓄積機能により蓄積する。または、読み取った情報を送信するタグ情報送信機能により所定の送信先に送信する。
［効果］  本発明の扉によれば、扉の前に来た人に付随する情報を自動的に収集して蓄積したり所定の送信先に送信したりできるので、扉を開けて住居に侵入したあるいはピッキングやカム送り開錠により侵入を試みた犯人に付随する情報を得ることができる。得られた情報は犯人を特定するための重要な手掛かりになる可能性がある。
［構成例］  図６に示す扉３０は、タグリーダ４０と情報蓄積装置５０と情報送信装置６０を備えている。これらは、扉１の内部すなわち、正面板７と背面板９との間に設けられていて、外からは見えない。タグリーダ４０は、扉１の正面板７の一部（図示の例ではノブ３の下方）に形成された読取窓（貫通孔）３１に装着されている。読取窓３１には電波を良好に透過する合成樹脂製の閉塞部材３２が嵌め付けて設けられている。タグリーダ４０は、無線ＩＤタグと近距離無線通信して当該無線ＩＤタグの情報（当該タグ内のメモリに記憶されている情報）を読み取る（受信する）近距離無線装置である。情報蓄積装置５０は、タグリーダ４０により読み取った情報を蓄積する記憶装置である。情報送信装置６０は、タグリーダ４０により読み取った情報（この例では、情報蓄積装置５０に蓄積された情報）を外部装置（送信先の通信装置）７０に送信する通信装置である。外部装置７０と通信し、情報蓄積装置５０に蓄積された情報を定期的に又はタグリーダ４０による情報の読みとりが実行される度毎に外部装置７０に送信する。
【産業上の利用可能性】
【００２９】
図５に示した扉１の特徴的な構成要素（鏡５、ハーフミラー６、撮像装置１０、等）と、図６に示した扉３０の特徴的な構成要素（タグリーダ４０、情報蓄積装置５０、情報送信装置６０、等）とを同時に備えた扉によれば、扉の前に来た人を自動的に密かに撮像してその画像データを記録するとともに、扉の前に来た人に付随する情報（タグ情報）を自動的に密かに収集して蓄積したり所定の送信先に送信したりできるので、扉の前に来た人がピッキングやカム送り開錠の犯人であった場合、犯人逮捕のための手がかりや犯行の重要な証拠を得ることができる。この扉を広く普及させることにより、犯行抑止機能と犯人情報収集機能とを兼ね備えた実効性のある防犯システムを容易に構築できる。
【図面の簡単な説明】
【００３０】
【図１】本発明にかかる扉の形態例を示す正面図
【図２】本発明にかかる扉の別の形態例を示す正面図
【図３】本発明にかかる扉の別の形態例を示す正面図
【図４】本発明にかかる扉の別の形態例を示す正面図
【図５】（ａ）は本発明にかかる扉の別の形態例を示す正面図  （ｂ）は（ａ）の部分断面図  （ｃ）は扉内部に設けられている撮像装置の構成を概念的に示すブロック図
【図６】（ａ）は本発明にかかる扉の別の形態例を示す正面図  （ｂ）は（ａ）の部分断面図
【符号の説明】
【００３１】
１  扉
２  ヒンジ部材
３  ノブ
４  錠
５  鏡
６  マジックミラー
７  正面板
８  貫通孔
９  背面板
１０  撮像装置
１０ａ  固体撮像素子
１０ｂ  光学系
１０ｃ  制御系
１０ｄ  不揮発性メモリ
１０ｅ  外部インタフェース
１１  外部装置
３０  扉
３１  読取窓（貫通孔）
３２  閉塞部材
４０  タグリーダ
５０  情報蓄積装置
６０  情報送信装置
７０  外部装置
【図１】
2005325678.tif 000003
【図２】
2005325678.tif 000004
【図３】
2005325678.tif 000005
【図４】
2005325678.tif 000006
【図５】
2005325678.tif 000007
【図６】
2005325678.tif 000008